【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
電界放出素子中の電極およびエミッターを製造する方法であって、
（ａ）基板上に光画像形成可能な導電性組成物を印刷する工程、
（ｂ）前記導電性組成物上に光画像形成可能なカーボンナノチューブ（ＣＮＴ）組成物を印刷する工程、
（ｃ）印刷された前記基板をＵＶ光に露光する工程
（ｄ）露光された前記基板を現像する工程、および
（ｅ）現像された前記基板を焼成する工程
を含む、方法。
【請求項２】
ＣＮＴ、アクリレートモノマー／オリゴマー混合物、トリメチロールプロパンエトキシトリアクリレート、２，４−ジエチル−９Ｈ−チオキサンテン−９−オン、および２−メチル−１−［−（メチルチオ）フェニル］−２−（４−モルホリニル）−１−プロパノンを含む光画像形成可能なＣＮＴ組成物であって、前記２，４−ジエチル−９Ｈ−チオキサンテン−９−オンが、前記ＣＮＴペーストの１〜７重量％であり、前記２−メチル−１−［−（メチルチオ）フェニル］−２−（４−モルホリニル）−１−プロパノンが、前記ＣＮＴペーストの２〜１４重量％である、組成物。
【請求項３】
電界放出素子中の電極およびエミッターを製造する方法であって、
（ａ）基板上に光画像形成可能な導電性組成物を印刷する工程、
（ｂ）印刷された前記基板をＵＶ光に露光する工程、
（ｃ）前記導電性組成物上に光画像形成可能なＣＮＴ組成物を印刷する工程、
（ｄ）印刷された前記基板をＵＶ光に露光する工程、
（ｅ）露光された前記基板を現像する工程、および
（ｆ）現像された前記基板を焼成する工程
を含む、方法。
【請求項４】
請求項１に記載の方法により作製された電界放出素子中の電極およびエミッター。
【請求項５】
請求項３に記載の方法により作製された電界放出素子中の電極およびエミッター。
【請求項６】
請求項４に記載の電界放出素子を含むフラットパネルディスプレイ。
【請求項７】
請求項５に記載の電界放出素子を含むフラットパネルディスプレイ。
【手続補正２】
【補正対象書類名】明細書
【補正対象項目名】００６６
【補正方法】変更
【補正の内容】
【００６６】
溶媒Ｉ：α−テルピネオール、ＤＲＴ（Ｆｒａｎｃｅ）から購入。
溶媒ＩＩ：Ｔｅｘａｎｏｌ（登録商標）、Ｅａｓｔｍａｎ  Ｃｈｅｍｉｃａｌｓから購入。
ポリマーＡ：８０重量％のメタクリル酸メチルと２０重量％のメタクリル酸とのコポリマー、重量平均分子量Ｍｗ＝約７，０００、酸価＝約１２５、Ｎｏｖｅｏｎから購入。
ポリマーＢ：ビニルピロリドンと酢酸ビニルとのコポリマー、ＩＳＰのＳ６３０。
光開始剤Ｉ：Ｉｒｇａｃｕｒｅ  ９０７、２−メチル−１−［−（メチルチオ）フェニル］−２−（４−モルホリニル）−１−プロパノン、Ｃｉｂａ  Ｓｐｅｃｉａｌｔｙ  Ｃｈｅｍｉｃａｌｓから購入。
光開始剤ＩＩ：ＤＥＴＸ、２，４−ジエチル−９Ｈ−チオキサンテン−９−オン、Ａｃｅｔｏ  ＣｏｒｐｏｒａｔｉｏｎのＤＥＴＸ  ｓｐｅｅｄｃｕｒｅ。
光開始剤ＩＩＩ：Ｉｒｇａｃｕｒｅ  ６５１、Ｃｉｂａ  Ｓｐｅｃｉａｌｔｙ  Ｃｈｅｍｉｃａｌｓから購入。
光開始剤ＩＶ：Ｉｒｇａｃｕｒｅ  ３６９、Ｃｉｂａ  Ｓｐｅｃｉａｌｔｙ  Ｃｈｅｍｉｃａｌｓから購入。
ＴＡＯＢＮ：ＤｕＰｏｎｔによる１，４，４−トリメチル−２，３−ジアザビシクロ［３，２，２］−ノナ−２−エン−Ｎ，Ｎ'−ジオキシド。
カーボンナノチューブ（ＣＮＴ）：薄層カーボンナノチューブ、ＣＮＩから購入。
アルミナ：アルミナＡＫＰ−２０（Ｄ５０＝０．５ミクロン）、住友化学（Ｓｕｍｉｔｏｍｏ  Ｃｈｅｍｉｃａｌｓ）から購入。
モノマーＩ：ＳＢ５１０Ｅ３５、アクリレートモノマー／オリゴマー混合物、Ｓａｒｔｏｍｅｒから購入。
モノマーＩＩ：ＳＲ−４５４Ｄ、トリメチロールプロパンエトキシトリアクリレート、Ｓａｒｔｏｍｅｒから購入。
モノマーＩＩＩ：ＬＲ８９６７、ＢＡＳＦから購入。
マロン酸（Ｍａｌｎｏｎｉｃ  ａｃｉｄ）：Ａｌｄｒｉｃｈ  Ｃｈｅｍｉｃａｌｓから購入。
界面活性剤：ポリ（アルファメチルシロキサン）、ＢＹＫ−Ｃｈｅｍｉｅから購入。
銀粉：Ｆｅｒｒｏ  ７０００−７、Ｆｅｒｒｏから購入。
ガラスフリット:ＢＴ２６０２５、Ｙａｍａｍｏｒｕ  Ｇｌａｓｓから購入。
本出願は、特許請求の範囲に記載の発明を含め、以下の発明を包含する。
（１）  電界放出素子中の電極およびエミッターを製造する方法であって、
（ａ）基板上に光画像形成可能な導電性組成物を印刷する工程、
（ｂ）前記導電性組成物上に光画像形成可能なカーボンナノチューブ（ＣＮＴ）組成物を印刷する工程、
（ｃ）印刷された前記基板をＵＶ光に露光する工程
（ｄ）露光された前記基板を現像する工程、および
（ｅ）現像された前記基板を焼成する工程
を含む、方法。
（２）  前記光画像形成可能なＣＮＴ組成物が、ＣＮＴ、アクリレートモノマー／オリゴマーブレンド、トリメチロールプロパンエトキシトリアクリレート、２−メチル−１−［−（メチルチオ）フェニル］−２−（４−モルホリニル）−１−プロパノンおよび２，４−ジエチル−９Ｈ−チオキサンテン−９−オンを含む、（１）に記載の方法。
（３）  前記２，４−ジエチル−９Ｈ−チオキサンテン−９−オンが、前記ＣＮＴペーストの１〜７重量％であり、前記２−メチル−１−［−（メチルチオ）フェニル］−２−（４−モルホリニル）−１−プロパノンが、前記ＣＮＴペーストの２〜１４重量％である、（２）に記載の方法。
（４）  ２−メチル−１−［−（メチルチオ）フェニル］−２−（４−モルホリニル）−１−プロパノン対２，４−ジエチル−９Ｈ−チオキサンテン−９−オンの比が、２、４、または２と４の間である、（３）に記載の方法。
（５）  ＣＮＴ、アクリレートモノマー／オリゴマー混合物、トリメチロールプロパンエトキシトリアクリレート、２，４−ジエチル−９Ｈ−チオキサンテン−９−オン、および２−メチル−１−［−（メチルチオ）フェニル］−２−（４−モルホリニル）−１−プロパノンを含む光画像形成可能なＣＮＴ組成物であって、前記２，４−ジエチル−９Ｈ−チオキサンテン−９−オンが、前記ＣＮＴペーストの１〜７重量％であり、前記２−メチル−１−［−（メチルチオ）フェニル］−２−（４−モルホリニル）−１−プロパノンが、前記ＣＮＴペーストの２〜１４重量％である、組成物。
（６）  ２−メチル−１−［−（メチルチオ）フェニル］−２−（４−モルホリニル）−１−プロパノン対２，４−ジエチル−９Ｈ−チオキサンテン−９−オンの比が、２、４、または２と４の間である、（５）に記載の組成物。
（７）  前記ＣＮＴが、前記ペースト中の固形分の総重量の０．０１重量％〜約２重量％である、（５）に記載の組成物。
（８）  前記組成物が、金属レジネートをさらに含む、（５）に記載の組成物。
（９）  前記金属レジネートが、前記ペースト中の固形分の総重量の１．５〜４重量％である、（８）に記載の組成物。
（１０）  電界放出素子中の電極およびエミッターを製造する方法であって、
（ａ）基板上に光画像形成可能な導電性組成物を印刷する工程、
（ｂ）印刷された前記基板をＵＶ光に露光する工程、
（ｃ）前記導電性組成物上に光画像形成可能なＣＮＴ組成物を印刷する工程、
（ｄ）印刷された前記基板をＵＶ光に露光する工程、
（ｅ）露光された前記基板を現像する工程、および
（ｆ）現像された前記基板を焼成する工程
を含む、方法。
（１１）  （１）に記載の方法により作製された電界放出素子中の電極およびエミッター。
（１２）  （１０）に記載の方法により作製された電界放出素子中の電極およびエミッター。
（１３）  （１１）に記載の電界放出素子を含むフラットパネルディスプレイ。
（１４）  （１２）に記載の電界放出素子を含むフラットパネルディスプレイ。